(57)【要約】      （修正有）【課題】木製窓枠部材、木製窓枠部材の屋外面を被覆するアルミクラッド等からなるベース組立部を製造後に、ニーズに応じた一枚あるいは複層ガラス板を柔軟に組込み可能である、アルミクラッド木製窓を提供する。【解決手段】該ベース組立部が組み上げられたアルミクラッド木製窓に、ニーズに応じた該一枚あるいは複層ガラス板４，６等を該木製窓枠部材の側面開口８から挿入して組立て可能である側面開口部を備えた木製窓枠部材と、該側面開口部を閉鎖する閉鎖部材１２を備える。【選択図】図７
0003113290.tif 000002
【実用新案登録請求の範囲】
【請求項１】
木製窓枠部材と、該木製窓枠部材の屋外面を被覆するアルミクラッドと、ガラス板と、閉鎖部材と、からなるアルミクラッド木製窓であって、
該木製窓枠部材は側面に開口部を備え、該開口部は該ガラス板が挿入可能な大きさであり、
該側面開口部は、該閉鎖部材により閉鎖され、該閉鎖部材により該ガラス板の一端面を支持して該木製窓枠部材内に固定している、
アルミクラッド木製窓。
【請求項２】
該木製窓枠部材の側面開口部は、該ガラス板の端面を支持する四辺の一辺部分である、請求項１のアルミクラッド木製窓。
【請求項３】
該木製窓枠部材の側面開口部を閉鎖している該閉鎖部材は、無頭釘により該木製窓枠部材に固定されている、請求項１または２のアルミクラッド木製窓。
【請求項４】
該ガラス板は複層ガラス板である、請求項１乃至３のアルミクラッド木製窓。
【請求項５】
木製窓枠部材と、該木製窓枠部材の屋外面を被覆するアルミクラッドと、屋外側ガラス板と、室内側ガラス板と、閉鎖部材と、からなるアルミクラッド木製窓であって、
該木製窓枠部材は側面開口部を備え、該側面開口部を通して該室内側ガラス板が挿入可能な大きさであり、
該側面開口部は、該閉鎖部材により閉鎖され、該閉鎖部材により該室内側ガラス板の一端面を支持して該木製窓枠部材内に固定している、
アルミクラッド木製窓。
【請求項６】
該木製窓枠部材の側面開口部は、該室内側ガラス板の端面を支持する四辺の一辺部分である、請求項５のアルミクラッド木製窓。
【請求項７】
該室内側ガラス板枠部材の開放部を閉鎖している該閉鎖部材は、無頭釘により該木製窓枠部材に固定されている、請求項５または６のアルミクラッド木製窓。
【請求項８】
木製窓枠部材と、該木製窓枠部材の屋外面を被覆するアルミクラッドと、屋外側ガラス板と、室内側ガラス板と、側面開放部を有する室内側ガラス板枠部材と、閉鎖部材と、室内側に露出する木製面を有する押し縁と、からなるアルミクラッド木製窓であって、
該室内側ガラス板枠部材の側面開放部は、該側面開放部を通して該室内側ガラス板が挿入可能な大きさであり、
該室内側ガラス板枠部材の側面開放部は、該閉鎖部材により閉鎖され、該閉鎖部材により該室内側ガラス板の一端面を支持して該室内側ガラス板枠部材内に固定している、
アルミクラッド木製窓。
【請求項９】
該室内側ガラス板枠部材の側面開放部は、該室内側ガラス板の端面を支持する四辺の一辺部分である、請求項８のアルミクラッド木製窓。
【請求項１０】
該室内側ガラス板枠部材の側面開放部を閉鎖している該閉鎖部材は、無頭釘により該木製窓枠部材に固定されている、請求項８または９のアルミクラッド木製窓。
【考案の詳細な説明】
【技術分野】
【０００１】
本考案は、アルミクラッド木製窓に関する。より詳細には、木製窓枠部材、該木製窓枠部材の屋外面を被覆するアルミクラッド（アルミ製被覆部材）、一枚ガラス板或いは複層ガラス板を備える、アルミクラッド木製窓に関する。
【背景技術】
【０００２】
典型的な複層ガラスのアルミクラッド木製窓を図１に示す。複層ガラス式アルミクラッド木製窓は、木製窓枠部材２と、木製窓枠部材の屋外面を被覆するアルミクラッド１と、使用目的、使用場所、ユーザーの嗜好等のニーズに応じ複数のガラス板（例えば、屋外側ガラス板４、室内側ガラス板６）からなる。特に、複層ガラス式アルミクラッド木製窓は、屋外面はアルミクラッド１による耐久性を確保し、かつ、複層ガラスによる遮音、防湿、断熱、耐火、防犯性を具備しつつ、木製窓枠室内側表面１１には木目表面を出した高級な質感や美観が求められる用途に用いられている。さらに、複層ガラス間（屋外側ガラス板と室内側ガラス板の間）５に、格子、ブラインド、シェード等をニーズに応じて内装することもある。このような構造の複層ガラス式アルミクラッド木製窓は、上記のような様々な仕様で共通に使用可能なベース組立て部、即ち、木製窓枠部材２、木製窓枠部材の屋外面を被覆するアルミクラッド１、屋外側ガラス板４、室内側木製枠体７、１０と、用途・目的等のニーズに対応して適用される部分、即ち、室内側ガラス板６、複層ガラス間５に内装する格子、ブラインド、シェード等のオプション部分とに大きく分けることができる。
【０００３】
従来、複層ガラス式アルミクラッド木製窓は、次のように製造されていた（図１、３参照）。木製窓枠部材に設けられた屋外側ガラス板枠内１５に、屋外側ガラス板（１枚ガラス板あるいは複層ガラス板）４が屋外側から嵌め込まれ、方形状に枠組みしたアルミクラッド１を屋外側より取り付けて該屋外側ガラス板４を木製窓枠部材２に固定し、ニーズに応じて格子、ブラインド、シェード等を複層ガラス間となる部分５に内装し、室内側ガラス板（例えば、防火ガラス、ワイヤー入りガラス、曇りガラス、または、それらの組合せ等）６を、木製窓枠部材２の室内側の室内側ガラス板枠体内７に嵌め込み、室内側に露出する木表面１１を持った押し縁１０を、該室内側ガラス板枠体７の室内側面に接着剤等で固定して室内側ガラス板６を固定させ、室内側ガラス板枠体７製造していた。
【０００４】
また近年では、ガラス材料の改良、ガラス表面へのコーティング技術の向上、機能性フィルムとガラスとの併用使用等の高機能ガラス・複層ガラスの開発により、従来では多重ガラスでなければ実現できなかった高機能ガラスが、より少ない枚数のガラスで実現できるようになってきた。その結果、アルミクラッド木製窓の軽量化、薄構造化が可能となり、かつ選択できるガラス板の種類も増加してきた。
【考案の開示】
【考案が解決しようとする課題】
【０００５】
上記の従来の製造方法によりアルミクラッド木製窓を製造する場合、全ての仕様が決まっていることが必要であった。そのため、同一製品を大量生産する場合には特に問題とはならないが、ユーザーニーズの多様化に柔軟に対応し、多様なガラス板の種類やシェード、ブラインド等のオプション部分を選択的に内装する必要のある小ロット生産に対しては、柔軟に対応できないという課題を有していた。
【課題を解決するための手段】
【０００６】
本考案は、使用用途、ニーズ、嗜好等に応じたオプション部分以外のベース組立て部が組み上げられたアルミクラッド木製窓が、ガラス板を木製窓枠部材の側面開口部から挿入して組立て可能であるような側面開口部を備える木製窓枠部材と、該側面開口部を閉鎖する閉鎖部材を備えることを特徴とする。
【考案の効果】
【０００７】
本考案に係るアルミクラッド木製窓により、従来の製造技術で担保されてきたアルミクラッド木製窓に対する大きなニーズである木目を屋内面に出した高級な質感や美観を損ねることなく、ユーザーニーズの多様化に応じて、防火、遮音、防湿、防犯等様々な室内側ガラス板の選択に柔軟に製造対応することができる、アルミクラッド木製窓が提供可能となる。さらには、本考案に係るアルミクラッド木製窓を応用することにより、アルミクラッド木製窓の製造工場において、オプション部分を除くベース組立て部を製造し、販売・施工業者において、細かなユーザーのニーズに迅速に対応して、室内側ガラス板等のオプション部分を選択的に組立て施工することが可能になる。
【考案を実施するための最良の形態】
【０００８】
本考案は、木製窓枠部材２と、木製窓枠部材２の屋外面を被覆するアルミクラッド１と、木製窓枠部材２の室内側に設けられた室内側ガラス板枠体７、一枚または複数のガラス板４，６からなるアルミクラッド木製窓に関する。
【０００９】
最初に、木製窓枠部材２に設けられた屋外側ガラス板枠内１５に屋外側ガラス板（一枚ガラス板あるいは複層ガラス板）４が屋外側から嵌め込まれ、屋外側より取り付けられた方形状に枠組みしたアルミクラッド１により該屋外側ガラス板４が固定された木製窓枠部材２に、室内側ガラス板枠体７を該木製窓枠部材２の室内側に接着剤により固定し、室内面に露出する木表面１１を持った押し縁１０を該室内側ガラス板枠体７の室内側面に接着剤で固定し、木製窓枠部材を組立てる。その後、木製窓枠部材内に挟装された室内側ガラス板枠体７の開放部分８を通して室内側ガラス板６を挿入し、室内側ガラス板挿入後に室内側ガラス板枠体７の開放部分８に閉鎖部材１２を挿入し接着剤により固定し、該室内側ガラス板枠体７の開放部８を閉鎖する。
【００１０】
本発明に係るアルミクラッド木製窓により、ベース組立て部を組立て製造後に、木製窓枠室内側表面の美観・高級質感を損なうことなく、室内側ガラス板を内装することを可能とし、従来のアルミクラッド木製窓では不可能であった、製品の用途やユーザーのニーズ・嗜好に対応した柔軟な製造を可能とした。
【実施例１】
【００１１】
図４，５，６を参照しながら、本考案に係るアルミクラッド木製窓の実施例1を説明する。
【００１２】
本実施例のアルミクラッド木製窓は、複層ガラス板式であり、木製窓枠部材２と、木製窓枠部材２の屋外面を被覆するアルミクラッド１と、木製窓枠部材２の室内側に設けられた室内側ガラス板枠体７、複数のガラス板４，６より構成され、該室内側ガラス板枠体７は室内側ガラス板端面を支持する四辺の内の一辺部分が開放部８であることを特徴としている。
【００１３】
アルミクラッド木製窓の製造方法を以下に説明する。最初に、木製窓枠部材２に設けられた屋外側ガラス板枠１５内に屋外側ガラス板（一枚ガラス板あるいは複層ガラス板）４が屋外側から嵌め込まれ、方形状に枠組みした屋外側アルミクラッド１により該屋外側ガラス板４が固定される。該アルミクラッド１、該屋外側ガラス板４が固定された木製窓枠部材２に、室内側ガラス板枠体７を木製窓枠部材２の室内側に接着剤により固定し、室内面に露出する木表面１１を持った押し縁１０を該室内側ガラス板枠体７の室内側面に接着剤で固定する。以上により、室内側ガラス板６が未装着で、かつ、室内側ガラス板枠体７の開放部８が閉鎖されていないアルミクラッド木製窓のベース組立て部を組立てる。次に、木製窓枠部材２内に挟装された室内側ガラス板枠体の開放部分８を通して室内側ガラス板６を挿入し、室内側ガラス板挿入後に室内側ガラス板枠体７の開放部分８に閉鎖部材１２を挿入し、接着剤により固定し、該室内側ガラス板枠体７の開放部８を閉鎖する。室内側ガラス板枠体７の開放部分８を閉鎖部材１２で閉鎖後、図５に示すように、無頭釘１３を押し縁１０上から閉鎖部材を固定するように打設する。無頭釘１３を使用することにより、複層ガラス式アルミクラッド木製窓に要求される高級質感を損なうことなく、室内側ガラス板６を室内側ガラス板枠体内に確実に固定する。
【００１４】
室内側ガラス板６と押し縁１０との間にはコーキング材９を封入し、屋外側ガラス板４とアルミクラッド１との間については水密性及び耐風圧性のためシーリング処理しコーキング材９を封入する。コーキング材には、木質にあった色彩を持つものを選択し、質感・美観の低下を防止する。その後、木製窓枠室内側表面１１を仕上げ塗装する。
【００１５】
本実施例の方法により、従来の製造技術で担保されてきた複層ガラス式アルミクラッド木製窓に対する重要なニーズである木目を屋内面に出した高級な質感や美観を損ねることなく、ユーザーニーズの多様化に応じて、防火、断熱、遮音、防湿、防犯等に対応した室内側ガラス板６の選択（例えば、防火ガラス、ワイヤー入りガラス、曇りガラス、または、それらの組合せ等）に柔軟に対応可能な、アルミクラッド木製窓の製造が可能となる。
【実施例２】
【００１６】
図７〜１０により、本考案に係るアルミクラッド木製窓の実施例２を説明する。
【００１７】
実施例２の実施例１との違いは、木製窓枠部材２、室内側ガラス板枠体７、押し縁１０が、実施例１では別の部材として構成されていたのに対し、実施例２では、図７に示すように、一体型木製窓枠部材１４として構成されていることであり、その他の構成に関しては実施例１と同様である。このため、実施例１に比べて、室内側ガラス板６、閉鎖部材１２以外のベース本体部の組立てが容易となる。さらには、図８の側面図、下面図、図９、１０の断面図から明らかなように、複数の部材の接合で形成されている接合部分が、図１，２に示す実施例１に比べて少ないため、気密性、防湿性、の観点で優位である。実施例２においても、実施例１と同様の効果が享受可能である。
【実施例３】
【００１８】
図１１〜１８により、本考案に係るアルミクラッド木製窓の実施例３を説明する。
【００１９】
本実施例は、薄型の複層ガラス式アルミ木製窓での実施例である。
【００２０】
実施例３は、実施例２と同様に一体型木製窓枠部材１４で構成されている実施例であるが、実施例１、２との違いは、装着されているガラス板が２枚のガラス板から構成される複層ガラス板１６のみからなるということである。ベース本体部は、本実施例では一体型木製窓枠部材１４とアルミクラッド１のみで構成され、一体型木製窓枠部材１４の側面に備えた開口部８より、使用用途、ニーズ、嗜好等に合わせ選定された複層ガラス板が挿入され（図１１）、該側面開口部８は閉鎖部材１２にて閉鎖され（図１１）、複層ガラス板１６を木製窓枠部材１４内に固定している。開口部８を閉鎖部材１２で閉鎖後、図１１に示すように、無頭釘１３を木製窓枠部材の室内側から閉鎖部材１２を固定するように打設する。無頭釘１３を使用することにより、複層ガラス式アルミクラッド木製窓に要求される高級質感を損なうことなく、複層ガラス板１６を木製窓枠部材１４内に確実に固定する。複層ガラス板１６の室内側と木製窓枠部材１４との隙間にはコーキング材９を封入し、複層ガラス板１６の屋外側とアルミクラッド１との間については水密性及び耐風圧性のためシーリング処理しコーキング材９を封入する。コーキング材９には、木質にあった色彩を持つものを選択し、質感・美観の低下を防止する。木製窓枠部材１４が一体型であるため、実施例２と同様に、図１２、１３の断面図から明らかなように、図１，２で示された実施例１の複数の部材を使用する場合に比較し接合部が少なく、気密性、防湿性の観点で優位である。さらに、複層ガラス板１６の屋外側ガラス板には低放射ガラス（Ｌｏｗ−Ｅガラス）１７を使用し、また、屋外側／室内側ガラス板の中空層１９には、低熱伝導率であるＡｒを封入した高機能複層ガラス板１６を使用することにより、温度差のある複層ガラス板の室内面に室内空気、屋外面に外気が、直接、複層ガラス板に触れることに起因する結露を未然防止することができる。また、防火ガラスを室内側ガラス板１８として使用することにより、防火機能も備えた高機能タイプの薄型の複層ガラス式アルミ木製窓を提供することができる。図１５，１６，１７には、本実施例の複層ガラス式アルミクラッド木製窓が、建築基準法第６８条の２６第１項（同法第８８条第１項において準用する場合を含む）の規定に基づき、同法第２条第九号の二ロ及び同法施行令第１０９条の２（２０分間の遮炎性能を有する防火設備）の規定に適合する木質系防火戸（防火設備）であることの認定を受けるためのガラス脱落防止金物２１を示す。図１８に示すガラス脱落防止金物２１は、複層ガラス板溝２０内に適合する大きさであり、木製窓枠部材の複層ガラス板を受ける四辺のガラス板受け溝にビス２２により固定されている。
【００２１】
本実施例３においても、実施例１、２と同様に、木製窓枠の室内面側の高級質感・美観を損なうことなく、使用用途、ニーズに応じたガラス板が柔軟に選択可能であるという作用効果が享受可能である。
【実施例４】
【００２２】
図１９、２０により、本考案に係るアルミクラッド木製窓の実施例４を説明する。
【００２３】
本実施例も、実施例３と同様、薄型のアルミクラッド木製窓での実施例であるが、実施例３との違いは、装着されているガラス板が一枚のガラス板から構成されている点であり、強風に対する強度のような機械的強度が要求される一枚の極厚ガラスを装着する場合の例である。ベース本体部は、本実施例では一体型木製窓枠部材１４とアルミクラッド１のみで構成され、一体型木製窓枠部材１４の側面に備えた開口部８より、使用用途、嗜好等に合わせ選定された一枚のガラス板２３が挿入され（図１１）、該側面開口部８は閉鎖部材１２にて閉鎖され（図１１）、ガラス板２３を木製窓枠部材１４内に固定している。開口部８を閉鎖部材１２で閉鎖後、図１１に示すように、無頭釘１３を木製窓枠部材の室内側から閉鎖部材１２を固定するように打設する。無頭釘１３を使用することにより、複層ガラス式アルミクラッド木製窓に要求される高級質感を損なうことなく、ガラス板２３を木製窓枠部材１４内に確実に固定する。ガラス板２３の室内側と木製窓枠部材１４との隙間にはコーキング材９を封入し、ガラス板２３の屋外側とアルミクラッド１との間については水密性及び耐風圧性のためシーリング処理しコーキング材９を封入する。コーキング材９には、木質にあった色彩を持つものを選択し、質感・美観の低下を防止する。
【００２４】
本実施例４においても、実施例１、２、３と同様に、木製窓枠の室内面側の高級質感・美観を損なうことなく、使用用途、ニーズに応じたガラス板が柔軟に選択可能であるという作用効果が享受可能である。
【００２５】
なお、実施例１、２、３、４ともに、予め、開放部分８が加工製作されている室内側ガラス板枠体７、１４を用いた実施例として示したが、室内側ガラス板枠体７、１４を開放部分８のない部材として製作し、アルミクラッド木製窓のベース本体部を組立てた後に、挿入する室内側ガラス板の仕様に応じて最適な開放部８を加工製作し、その開放部８を通してガラス板６、１６、２３を挿入設置し、閉鎖部材１２で閉鎖することによっても、同様の効果が享受可能である。
【図面の簡単な説明】
【００２６】
【図１】複層ガラス式アルミクラッド木製窓の概略図である。
【図２】図１に示す複層ガラス式アルミクラッド木製窓の線１−１に沿った断面概略図である。
【図３】従来の複層ガラス式アルミクラッド木製窓の組立てを示す概略図である。
【図４】本考案の実施例１による複層ガラス式アルミクラッド木製窓の組立てを示す概略図である。
【図５】本考案の実施例１による複層ガラス式アルミクラッド木製窓の屋内側ガラス板装着方法を示す図である。
【図６】本考案の実施例１による複層ガラス式アルミクラッド木製窓の概略図である。
【図７】本考案の実施例２による複層ガラス式アルミクラッド木製窓の屋内側ガラス板装着方法を示す図である。
【図８】本考案の実施例２による複層ガラス式アルミクラッド木製窓の概略図である。
【図９】図７，８に示す本考案の実施例２による複層ガラス式アルミクラッド木製窓の線２−２に沿った断面概略図である。
【図１０】図７，８に示す本考案の実施例２による複層ガラス式アルミクラッド木製窓の線３−３に沿った断面概略図である。
【図１１】本考案の実施例３による複層ガラス式アルミクラッド木製窓の屋内側ガラス板装着方法を示す図である。
【図１２】本考案の実施例３、４によるアルミクラッド木製窓の概略図である。
【図１３】図１２に示す本考案の実施例３による複層ガラス式アルミクラッド木製窓の線４−４に沿った断面概略図である。
【図１４】図１２に示す本考案の実施例３による複層ガラス式アルミクラッド木製窓の線５−５に沿った断面概略図である。
【図１５】図１２に示す本考案の実施例３による複層ガラス式アルミクラッド木製窓の線６−６に沿った断面概略図で、複層ガラス受け溝内のガラス脱落防止金物設置位置を示す図である。
【図１６】図１２に示す本考案の実施例３による複層ガラス式アルミクラッド木製窓の線７−７に沿った断面概略図で、複層ガラス受け溝内のガラス脱落防止金物設置位置を示す図である。
【図１７】図１５に示す本考案の実施例３による複層ガラス式アルミクラッド木製窓の線８−８に沿った断面概略図で、複層ガラス受け溝内のガラス脱落防止金物断面を示す図である。
【図１８】実施例３で示したガラス脱落防止金物断面を示す概略図である。
【図１９】図１２に示す本考案の実施例４によるアルミクラッド木製窓の線４−４に沿った断面概略図である。
【図２０】図１２に示す本考案の実施例４によるアルミクラッド木製窓の線５−５に沿った断面概略図である。
【符号の説明】
【００２７】
１：アルミクラッド
２：屋外側木製窓枠部材
３：屋外側ガラス板枠
４：屋外側ガラス板（複層ガラス）
５：複層ガラス間のスペース
６：室内側ガラス板
７：室内側ガラス板枠体
８：室内側ガラス板枠体の開放部分
９：コーキング材
１０：押し縁
１１：木製窓枠室内側表面
１２：閉鎖部材
１３：無頭釘
１４：一体型木製窓枠部材
１５：屋外側ガラス板枠
１６：複層ガラス
１７：低放射ガラス（Ｌｏｗ−ｅガラス）
１８：防火ガラス
１９：アルゴン封入層
２０：ガラス板受け溝
２１：ガラス脱落防止金物
２２：ビス
２３：ガラス板
【図１】
0003113290.tif 000003
【図２】
0003113290.tif 000004
【図３】
0003113290.tif 000005
【図４】
0003113290.tif 000006
【図５】
0003113290.tif 000007
【図６】
0003113290.tif 000008
【図７】
0003113290.tif 000009
【図８】
0003113290.tif 000010
【図９】
0003113290.tif 000011
【図１０】
0003113290.tif 000012
【図１１】
0003113290.tif 000013
【図１２】
0003113290.tif 000014
【図１３】
0003113290.tif 000015
【図１４】
0003113290.tif 000016
【図１５】
0003113290.tif 000017
【図１６】
0003113290.tif 000018
【図１７】
0003113290.tif 000019
【図１８】
0003113290.tif 000020
【図１９】
0003113290.tif 000021
【図２０】
0003113290.tif 000022